(57)【要約】【課題】気中断路器の耐震強化工事を含む、部材の取替えや部材を修理する工法において、より安全かつ作業の容易な工法を提供する。【解決手段】単柱操作三角錐型断路器の部材の取替え又は修理の工法において、３本の支持碍子１の接続体の上部の支持碍子１を、本体から切り離し、また、操作碍子２の接続体の全部又は上部の操作碍子２を、本体から切り離して、上部の支持碍子１の内側から操作碍子２を垂下させた状態の上部断路器Ａ−１をクレーンで吊り上げ、中央部に操作碍子２が入る孔を有する略直方体形状の枠体から成る治具Ｂの中に入れて、三本の上部支持碍子１の各下端部を前記治具Ｂに固定し、また、操作碍子２の下端を治具Ｂで支持し、取替え部材を取り替え又は修理し、その後、三本の上部支持碍子１及び操作碍子の下端部の治具Ｂとの固定や支持を解除して、前記上部断路器を治具から吊り上げ、前記切り離した本体に再度接続、固定する。【選択図】図２
2020010416.tif 000002
【特許請求の範囲】
【請求項１】
３本の支持碍子の接続体とその中央部に位置する１本の操作碍子の接続体から成る、単柱操作三角錐型断路器の部材の取替え又は修理の工法において、
前記３本の支持碍子の接続体の上部の支持碍子を、下部の支持碍子を残して本体から切り離し、また、前記操作碍子の接続体の全部又は上部の操作碍子を、本体から切り離して、上部の支持碍子の中央部から操作碍子の接続体を垂下させた状態の上部断路器をクレーンで吊り上げ、
中央部に操作碍子の接続体が入る孔を有する略直方体形状の枠体から成る治具の中に入れて、三本の上部支持碍子の各下端部を前記治具に固定し、
また、操作碍子の接続体の下端を、治具の下部で支持し、
その上で取替え部材を取り替え、又は部材を修理し、
その後に、三本の上部支持碍子の各下端部の治具との固定及び操作碍子の下端の治具との支持を解除して、前記上部断路器を治具から吊り上げ、前記切り離した本体に再度接続、固定することを特徴とする、断路器の部材取替え又は修理工法。
【請求項２】
前記治具に、操作碍子の接続体が通る中央孔を有する中段ステージを設け、当該中段ステージの三か所に、傾斜した円板を上端に有する支持碍子受台を設け、前記上部断路器の３本の支持碍子の下端部を当該三か所の支持碍子受台に載置して固定することを特徴する、請求項１に記載の断路器の部材取替え又は修理工法。
【請求項３】
前記治具が、左右に分割自在な２つの分割体から成り、各分割体は下端に複数個のキャスターを具備し、当該各分割体を突き合せて接続部材で一体としたことを特徴とする、請求項１又は２に記載の断路器の部材取替え又は修理工法。
【請求項４】
前記治具の中に、ジャッキ付台車を設け、当該ジャッキ付台車に前記上部断路器の操作碍子の下端又は中間ピンジョイント部を載置することを特徴とする、請求項１〜３のいずれかに記載の断路器の部材取替え又は修理工法。
【請求項５】
前記治具は、前記中段ステージの上方の治具の外周に沿った足場状の上段ステージを有し、当該上段ステージに作業員がのって、前記上部断路器の支持碍子や操作碍子をロープを用いて当該治具に固定することを特徴とする、請求項２〜４のいずれかに記載の断路器の部材取替え又は修理工法。
【発明の詳細な説明】
【技術分野】
【０００１】
この発明は、変電所等に設置された気中断路器の部材の取り替えや部材の修理の工法に関するものである。
【背景技術】
【０００２】
変電所に設置された、単柱操作三角錐支持型の５５０ｋＶ気中断路器（以下、単に「断路器Ａ」と言う）は、図１２に示す様に、複数の碍子を長手方向に沿って接続した支持碍子１の接続体を３個用意し、これらの支持碍子１の接続体を三角錐形状に組み、支柱３を形成する。そして、これらの３個の支持碍子１の接続体の中央部に、複数の碍子を長手方向に沿って接続した操作碍子２の接続体を配置する。この操作碍子２を有する支柱３を二つ並べて基台６上に設け、各支柱３の頂部に、ブレード４ａの先端に主接触部４ｂを有し、基部にヒンジ部４ｃを有する導電部４の前記ヒンジ部４ｃを支持して、各ブレード４ａを夫々水平回転自在に設けたものである。
【０００３】
従来の断路器Ａは、過去の地震の際に操作碍子が破損したことを踏まえて、地震動による応力が集中する操作碍子の中間部にピンジョイント機構を設け、操作碍子の曲げ応力を緩和する免震構造としていた。しかしながら、２０１１年の東北地方太平洋沖地震は、日本の耐震設計基準（ＪＥＡＧ５００３）を大きく上回る地震動レベルであったため、中間ピンジョイントは、振幅限界を超える変位量で振られ、構成部品同士が激しく衝突した。この様な設計値を上回る応力によって断路器の操作碍子や支持碍子等の破損が発生した。特に、操作碍子中央の可動部（中間ピンジョイント部）周辺での破損が多数発生した。
【０００４】
そこで、操作碍子２の接続体の可動部（中間ピンジョイント部）への衝撃力を抑制する衝撃緩衝装置の追加及び導電部の軽量化を図った取り替えを実施することにより耐震性能の向上を図ることが実施されている。
【０００５】
この断路器Ａの部材取替えの方法は、従来、図１３に示す様に、断路器Ａの一方の導電部４を有する支柱３の、支持碍子１の接続体の上部の支持碍子１と、この支持碍子１より下方に伸びた操作碍子２の接続体とから成る上部断路器Ａ−１を、支柱３の本体から切り離して、クレーンで吊り上げ「図中(１)」、この上部断路器Ａ−１を支柱３の本体の脇の空スペースに下ろし、クレーンで吊りながら支持碍子１の接続体の下部の支持碍子１を切り離し、また、操作碍子２の接続体のうちの下部の操作碍子２や中間ピンジョイント部７を外す「図中(２)」。さらに、上部断路器Ａ−１の導電部４を外す。
【０００６】
その後、新しく軽量化したブレードを有する新導電部４´を前記上部断路器Ａ−１の頂部に取付け、最上段の支持碍子１の下に複数の支持碍子１を接続し、また、操作碍子２に衝撃緩衝装置付き中間ピンジョイント部７´を取付け「図中(３)」、さらに、衝撃緩衝装置付き中間ピンジョイント部７´の下に操作碍子２を取付け「図中(４)」、再度クレーンで前記上部断路器Ａ−１を吊り上げて支柱３の本体に取付けて取替えが完了する「図中(５)」。
【先行技術文献】
【特許文献】
【０００７】
【非特許文献１】耐震強化型５５０ｋＶ気中断路器                東光高岳技報Ｖｏｌ．２  ２０１５
【発明の開示】
【発明が解決しようとする課題】
【０００８】
しかしながら、上記の取替え工法では、クレーンで吊り上げた状態での碍子の取り外しや取付け作業となり、作業対象物が搖動する中での作業となり、熟練を要するとともに、安全面で問題がある。また、多数の支持碍子の接続を全て取り外すため、手間や時間を要する。さらに、多数の支持碍子や操作碍子の取付け、取り外し作業において、これらの碍子が接触等の衝撃により損傷する恐れもある。
【０００９】
そこで、この発明は上述の課題を解決するため、気中断路器の上記耐震強化工事を含む、部材の取替えや部材を修理する工法において、より安全かつ作業の容易な工法を提供することを目的としたものである。
【課題を解決するための手段】
【００１０】
請求項１の発明は、３本の支持碍子の接続体とその中央部に位置する１本の操作碍子の接続体から成る、単柱操作三角錐型断路器の部材の取替え又は修理の工法において、前記３本の支持碍子の接続体の上部の支持碍子を、下部の支持碍子を残して本体から切り離し、また、前記操作碍子の接続体の全部又は上部の操作碍子を、本体から切り離して、上部の支持碍子の中央部から操作碍子の接続体を垂下させた状態の上部断路器をクレーンで吊り上げ、中央部に操作碍子の接続体が入る孔を有する略直方体形状の枠体から成る治具の中に入れて、三本の上部支持碍子の各下端部を前記治具に固定し、また、操作碍子の接続体の下端を、治具の下部で支持し、その上で取替え部材を取り替え、又は部材を修理し、その後に、三本の上部支持碍子の各下端部の治具との固定及び操作碍子の下端の治具との支持を解除して、前記上部断路器を治具から吊り上げ、前記切り離した本体に再度接続、固定する、断路器の部材取替え又は修理工法とした。
【００１１】
また、請求項２の発明は、前記治具に、操作碍子の接続体が通る中央孔を有する中段ステージを設け、当該中段ステージの三か所に、傾斜した円板を上端に有する支持碍子受台を設け、前記上部断路器の３本の支持碍子の下端部を当該三か所の支持碍子受台に載置して固定する、請求項１に記載の断路器の部材取替え又は修理工法とした。
【００１２】
また、請求項３の発明は、前記治具が、左右に分割自在な２つの分割体から成り、各分割体は下端に複数個のキャスターを具備し、当該各分割体を突き合せて接続部材で一体とした、請求項１又は２に記載の断路器の部材取替え又は修理工法とした。
【００１３】
また、請求項４の発明は、前記治具の中に、ジャッキ付台車を設け、当該ジャッキ付台車に前記上部断路器の操作碍子の下端又は中間ピンジョイント部を載置する、請求項１〜３のいずれかに記載の断路器の部材取替え又は修理工法とした。
【００１４】
また、請求項５の発明は、前記治具は、前記中段ステージの上方の治具の外周に沿った足場状の上段ステージを有し、当該上段ステージに作業員がのって、前記上部断路器の支持碍子や操作碍子をロープを用いて当該治具に固定する、請求項２〜３のいずれかに記載の断路器の部材取替え又は修理工法とした。
【発明の効果】
【００１５】
請求項１の発明によれば、従来の様に断路器本体から切り離した導電部を有する上部断路器をクレーンで吊るした状態で、その下で操作碍子を取り外したり、中間ピンジョイント部を取り替えたりする作業をする必要がなく、上部断路器を治具に固定し、その状態で作業ができるため、作業も容易で、迅速に行え、また、安全に作業が行える。また、支持碍子も必要最小限のものを切り離せばよく、従来のように、接続している多数の支持碍子を取り外す必要がなく、手間がかからない。
【００１６】
また、請求項２の発明によれば、治具に中段ステージを設け、この中段ステージに３個の支持碍子受台を設け、上部断路器の３本の支持碍子の下端をこれらの支持碍子受台に載置、固定することが出来るため、上部断路器の治具への固定が容易であり、工事作業を迅速にすることが出来る。
【００１７】
また、特に、請求項３の発明によれば、治具は左右に二分されており、かつ、これらの各分割体は下端に複数個のキャスターを有するため、容易に一体化することができる。
【００１８】
また、請求項４の発明によれば、前記治具の中に、ジャッキ付台車を設け、当該ジャッキ付台車に前記上部断路器の操作碍子の下端又は中間ピンジョイント部を載置するため、上部断路器の操作碍子や中間ピンジョインント部の吊り下がった高さに合わせてジャッキで台車の高さ調節が容易である。
【００１９】
また、請求項５の発明は、治具の中段ステージの上方に上段ステージを有するため、当該上段ステージに作業員がのって、上部断路器の上部の支持碍子や操作碍子をロープを用いて治具に容易に固定することが出来る。
【図面の簡単な説明】
【００２０】
【図１】この発明の実施の形態例１の断路器の部材取替え又は修理工法の第１工程を示す概略構成図である。
【図２】この発明の実施の形態例１の断路器の部材取替え又は修理工法の第２工程を示す概略構成図である。
【図３】この発明の実施の形態例１の断路器の部材取替え又は修理工法の第３工程を示す概略構成図である。
【図４】この発明の実施の形態例１の断路器の部材取替え又は修理工法の第４工程を示す概略構成図である。
【図５】この発明の実施の形態例１の断路器の部材取替え又は修理工法の第１工程での要部断面図である。
【図６】この発明の実施の形態例１の断路器の部材取替え又は修理工法に使用する治具の正面図である。
【図７】この発明の実施の形態例１の断路器の部材取替え又は修理工法に使用する治具の右側面図である。
【図８】この発明の実施の形態例１の断路器の部材取替え又は修理工法に使用する治具の図６のＡ−Ａ線端面図である。
【図９】この発明の実施の形態例１の断路器の部材取替え又は修理工法に使用する治具の図６のＢ−Ｂ線端面図である。
【図１０】この発明の実施の形態例１の断路器の部材取替え又は修理工法に使用する治具の図６のＣ−Ｃ線端面図である。
【図１１】この発明の実施の形態例１の断路器の部材取替え又は修理工法に使用する治具の支持碍子受台の斜視図である。
【図１２】この発明の対象である断路器の正面図である。
【図１３】この発明の断路器の部材取替え又は修理工法の従来例を示す概略構成図である。
【発明を実施するための形態】
【００２１】
（実施の形態例１）
まず、この発明の実施の形態例１の断路器Ａの部材取替え又は修理工法に使用する治具Ｂを図６〜図１１に基づいて説明する。
【００２２】
この治具Ｂは、断路器本体から切り離した上部断路器を支持する略直方体形状の枠体から成る治具Ｂである。この治具Ｂ内に断路器Ａの支柱３の本体から切り離した上部断路器Ａ−１の操作碍子２の接続体を入れ、前記支持碍子１の各下端を中段ステージに固定するものである。なお、前記操作碍子２の接続体の下部のものは切り離し、所定の操作碍子２の下端部を当該治具Ｂ内で支持する。
【００２３】
前記治具Ｂは、図６において、左右２つに分かれて分割体８ａ及び分割体８ｂから構成されており、これらの分割体８ａ，８ｂの突き合せた端部の支柱の複数箇所で接続金具９により一体に接続されて治具Ｂを構成している。また、各分割体８ａ，８ｂの下端には複数個のブレーキ付キャスター１０を具備し、水平移動しやすいようになっている。また各分割体８ａ，８ｂを一体に接続し、所定箇所に止めた際、四隅に転倒防止用架台１１を取付け、治具Ｂの外側に張り出す構成となっている。また、これらの各転倒防止用架台１１には、高さ調整ジャッキ１１ａが設けられている。
【００２４】
更に当該治具Ｂ内部は、五角形状の中央孔１２を有する中段ステージ１３、及びこの中段ステージ１３の上方に上段ステージ１４を夫々有している。当該上段ステージ１４は、治具Ｂの外周に沿った足場を形成している。そして、前記中段ステージ１３の中央孔１２の周囲の３か所に、支持碍子受台１５を設けている。
【００２５】
この支持碍子受台１５は、図１１に示すように、断面この字型の枠体１５ａの上に円板１５ｂを傾斜させて載置、固定したもので、当該円板１５ｂの周縁にボルトを通す円弧状透孔１５ｃを複数個穿ったものである。そしてこれらの各円弧状透孔１５ｃを介して後述する支持碍子１の下端部をボルトで固定する構成となっている。
【００２６】
また、この治具Ｂは、図６及び図７に示しように、複数の手摺や横桟を有し、また、ある箇所ではチェーンが掛かっている。これらの手摺や横桟等にレバーブロック（登録商標）・玉ロープ、チェーンブロック、その他の工具を吊下げておくことが出来る。さらに、当該治具Ｂ内の地面に、後述するジャッキ付台車１７が出し入れ自在となっている。
【００２７】
次に、この発明の実施の形態例１の断路器の部材取替え又は修理工法について図１〜図５に基づいて説明する。
【００２８】
まず、断路器Ａの一方の支柱３の、３本の各１本の支持碍子１の接続体は４個の支持碍子１を長手方向に接続したものであり、この接続体の上の二つの支持碍子１を下の二つの支持碍子１から切り離し、また、操作碍子２の接続体はその下端を基台６から切り離し、切り離した上部断路器Ａ−１を図１の左図に示す様にクレーンで吊り上げて作業スペースに移動させる。
【００２９】
そして、前記治具Ｂの分割体８ａ及び８ｂを、図１の右図に示す様に、事前に接続金具９で一体とした治具Ｂに組み立てる。その後、クレーンで吊り上げた状態の上部断路器Ａ−１を一体化した治具Ｂの中に入れて、この状態で、最下端の操作碍子２及び中間ピンジョイント部７を上部断路器Ａ−１から切り離す。
【００３０】
この治具Ｂ内で、作業員が中段ステージ用梯子１８を用いて中段ステージ１３にのぼり、当該中段ステージ１３の３個の支持碍子受台１５に、前記上部断路器Ａ−１の３本の支持碍子１の各下端部を、それぞれボルトを用いて固定する。また、ジャッキ付台車１７を用いて衝撃緩衝装置付き中間ピンジョイント部７´（ダンパ）を、前記上部断路器Ａ−１の操作碍子２の下端へボルトで固定し、また、当該衝撃緩衝装置付き中間ピンジョイント部７´をジャッキ付台車１７に載置、支持する。この状態を図５は示している。
【００３１】
その後、図２の左図に示す様に、上段ステージ用梯子１９を用いて作業員が上段ステージにのぼり、レバーブロック（登録商標）・玉ロープ２０を使用して、支持碍子１を当該治具Ｂに固定する。また、中段ステージ１３の上や下で作業員は操作碍子２を、玉ロープ２１を用いて治具Ｂに固定する。
【００３２】
そして、前記上部断路器Ａ−１の導電部４と支持碍子１及び操作碍子２との取付けボルトを外し、導電部４を前記上部断路器Ａ−１から切り離す。その際、図示は省略したが、前記上部断路器Ａ−１の重心が変化するため、チェーンブロックにより水平調整する。この様にして前記導電部４をクレーンで吊り上げ、図２の右図に示す様に、導電部４を解体スペースへ移動させ、流用品を取り外して、軽量化したブレードを有する新導電部４´に付け替える。
【００３３】
次に、図３に示す様に、新導電部４´をクレーンで吊り上げて前記治具Ｂの上方に移動させ、前記上部断路器Ａ−１の支持碍子１及び操作碍子２の上端に取付けボルトを用いて新導電部４´を取付け固定する。また、図示は省略したが、新導電部４´の取付けによる重心変化に合わせてチェーンブロックにて水平調整を行う。
【００３４】
そして、図４の左図に示す様に、前記上部断路器Ａ−１をクレーンで吊りながら、支持碍子１の下端と支持碍子受台１５とのボルト固定を解除し、また、支持碍子１からレバーブロック（登録商標）・玉ロープ２０の取り外し及び操作碍子２から玉ロープ２１を取り外し、さらに、衝撃緩衝装置付き中間ピンジョイント部７´を載置していたジャッキ付台車１７を外す。
【００３５】
その後、クレーンで前記上部断路器Ａ−１を吊り上げ、図４の右図の様に、衝撃緩衝装置付き中間ピンジョイント部７´の下に操作碍子２を取付け、既設の断路器Ａの上部が外れた本体の上から前記上部断路器Ａ−１を下げて、これらを再度接続する。そして、治具Ｂを解体する。
【００３６】
なお、上記実施の形態例１では、中間ピンジョイント部７を衝撃緩衝装置付き中間ピンジョイント部７´に取替え、導電部４を軽量化したブレードを有する新導電部４´に取替える作業の工法を説明したが、これらの取替え作業に限らず、当該断路器の部材の取替え又は修理の際に、当該発明の工法は適用できる。
【００３７】
また、治具Ｂも上記実施の形態例１のものに限らず、前記上部断路器Ａ−１を支持固定できるものであれば、他の構成のものでも良い。また、上記実施の形態例１では治具Ｂの分割体８ａ、８ｂを一体に組み立てた後に、クレーンで吊るした上部断路器Ａ−１を一体化した前記治具Ｂ内に入れているが、これに限らず、クレーンで吊るした上部断路器Ａ−１を地上近くに下ろした状態で、治具Ｂの分割体８ａ、８ｂを左右から近づけ、上部断路器Ａ−１を挟むようにして分割体８ａ、８ｂ相互を接続してもよい。
【００３８】
また、上記実施の形態例では、治具Ｂの分割体８ａ，８ｂの接続を接続金具９で接続しているが、これは他の接続部材を用いてもよい。また、前記レバーブロック（登録商標）・玉ロープ２０や玉ロープ２１もこれらのものに限らず、適宜のロープやワイヤーを用いて支持碍子１や操作碍子２を治具Ｂに固定してもよい。
【符号の説明】
【００３９】
Ａ      断路器
Ｂ      治具
１      支持碍子                ２      操作碍子
３      支柱                    ４      導電部
４´    新導電部                ４ａ    ブレード
４ｂ    主接触部                ４ｃ    ヒンジ部
６      基台                    ７      中間ピンジョイント部
７´    衝撃緩衝装置付き中間ピンジョイント部  
８ａ    分割体                  ８ｂ    分割体
９      接続金具                １０    ブレーキ付キャスター
１１    転倒防止用架台          １１ａ  高さ調整ジャッキ
１２    中央孔                  １３    中段ステージ
１４    上段ステージ            １５    支持碍子受台
１５ａ  枠体                    １５ｂ  円板
１５ｃ  円弧状透孔              １７    ジャッキ付台車  
１８    中段ステージ用梯子      １９    上段ステージ用梯子
２０    レバーブロック（登録商標）・玉ロープ
２１    玉ロープ              
【図１】
2020010416.tif 000003
【図２】
2020010416.tif 000004
【図３】
2020010416.tif 000005
【図４】
2020010416.tif 000006
【図５】
2020010416.tif 000007
【図６】
2020010416.tif 000008
【図７】
2020010416.tif 000009
【図８】
2020010416.tif 000010
【図９】
2020010416.tif 000011
【図１０】
2020010416.tif 000012
【図１１】
2020010416.tif 000013
【図１２】
2020010416.tif 000014
【図１３】
2020010416.tif 000015